(57)【要約】【課題】インジェクタのコスト上昇を招くことなく、かつ、その汎用性を損なうことなく、しかもその位置決めを容易にした、インジェクタの取付構造を提供する。【解決手段】コネクタ部６を有するインジェクタ２の先端部と第１の保持部材３との間に弾性材からなる第１のクッション材７を介装するとともに、インジェクタ２の後端部と第２の保持部材４との間に弾性材からなる第２のクッション材８を介装して、インジェクタ２を支持するインジェクタの取付構造１である。第１のクッション材７は、インジェクタ２のコネクタ部６に係止するインジェクタ係止部７３と、第１の保持部材３に係止する保持部材係止部７４と、を有する。【選択図】図１
2015117675.tif 000002
【特許請求の範囲】
【請求項１】
コネクタ部を有するインジェクタの先端部と第１の保持部材との間に弾性材からなる第１のクッション材を介装するとともに、前記インジェクタの後端部と第２の保持部材との間に弾性材からなる第２のクッション材を介装して、前記インジェクタを支持するインジェクタの取付構造であって、
前記第１のクッション材は、前記インジェクタのコネクタ部に係止するインジェクタ係止部と、前記第１の保持部材に係止する保持部材係止部と、を有することを特徴とするインジェクタの取付構造。
【請求項２】
前記コネクタ部は、コネクタ本体と該コネクタ本体を支持する付け根部とを有し、
前記インジェクタ係止部は、前記付け根部を挟持することで前記コネクタ部に係止するように構成されていることを特徴とする請求項１記載のインジェクタの取付構造。
【請求項３】
前記保持部材係止部は、前記インジェクタの軸線方向に突出する凸部からなることを特徴とする請求項１又は２に記載のインジェクタの取付構造。
【請求項４】
前記第１の保持部材には、前記凸部と嵌合可能な凹部が設けられ、
前記凹部は、前記凸部の数より多い数設けられていることを特徴とする請求項３記載のインジェクタの取付構造。
【発明の詳細な説明】
【技術分野】
【０００１】
本発明は、インジェクタの取付構造に関する。
【背景技術】
【０００２】
エンジンに設けられる燃料噴射弁としてのインジェクタは、噴出孔（ノズル）が設けられた先端側が、噴射空間を有しあるいはこれに連通する保持部材に取り付けられ、後端側が、燃料供給路を有しあるいはこれに連通する保持部材に取り付けられている。
このようなインジェクタを各保持部材に取り付けるにあたっては、通常はインジェクタと保持部材とが直接接触することに起因する異音の発生を防止するため、特許文献１や特許文献２に開示されているように、インジェクタと保持部材との間にゴム等の弾性材からなるクッション材（緩衝材）を介装している。
【０００３】
すなわち、特許文献１では、燃料噴射弁（インジェクタ）の先端側に第一弾性部材を介装し、他端側に第二弾性部材を介装し、これら第一弾性部材、第二弾性部材をそれぞれ燃料噴射弁の軸線方向に圧縮している。
また、特許文献２では、バルブ本体（インジェクタ）の先端部（噴孔側）をインテークマニホルドに取り付けるにあたって、前記先端部とインテークマニホルドとの間に介在物としてアダプタおよびグロメットを介装している。
【先行技術文献】
【特許文献】
【０００４】
【特許文献１】特開２００１−２０８２７号公報
【特許文献２】実開昭６０−８４７６７号公報
【発明の概要】
【発明が解決しようとする課題】
【０００５】
ところで、前記特許文献１の技術は、単に燃料噴射弁の両端部に弾性部材を介装しているだけであり、燃料噴射弁が回動することが防止されていないため、保持部材に対する燃料噴射弁の位置決めが難しいといった課題がある。
これに対して前記特許文献２の技術では、バルブ本体およびインテークマニホルドと、これらの間に介装されるアダプタ、グロメットに、互いに嵌合する凹部や凸部を形成することで、インジェクタの回動を防止し、その位置決めを容易にしている。
【０００６】
しかしながら、この特許文献２の技術は、バルブ本体の位置決めを容易にするべく、バルブ本体に凹部を形成したり、バルブ本体とインテークマニホルドとの間に直接グロメットを介装するのでなく、アダプタをも介装する必要があり、したがってコストの上昇を招くといった課題がある。また、バルブ本体に凹部を形成することで、バルブ本体の汎用性が損なわれるといった課題もある。
【０００７】
本発明は前記事情に鑑みてなされたもので、その目的とするところは、インジェクタのコスト上昇を招くことなく、かつ、その汎用性を損なうことなく、しかもその位置決めを容易にした、インジェクタの取付構造を提供することにある。
【課題を解決するための手段】
【０００８】
本発明のインジェクタの取付構造は、コネクタ部を有するインジェクタの先端部と第１の保持部材との間に弾性材からなる第１のクッション材を介装するとともに、前記インジェクタの後端部と第２の保持部材との間に弾性材からなる第２のクッション材を介装して、前記インジェクタを支持するインジェクタの取付構造であって、前記第１のクッション材は、前記インジェクタのコネクタ部に係止するインジェクタ係止部と、前記第１の保持部材に係止する保持部材係止部と、を有することを特徴とする。
【０００９】
また、前記インジェクタの取付構造において、前記コネクタ部は、コネクタ本体と該コネクタ本体を支持する付け根部とを有し、前記インジェクタ係止部は、前記付け根部を挟持することで前記コネクタ部に係止するように構成されていることを特徴とする。
【００１０】
また、前記インジェクタの取付構造において、前記保持部材係止部は、前記インジェクタの軸線方向に突出する凸部からなることを特徴とする。
【００１１】
また、前記インジェクタの取付構造において、前記第１の保持部材には、前記凸部と嵌合可能な凹部が設けられ、前記凹部は、前記凸部の数より多い数設けられていることを特徴とする。
【発明の効果】
【００１２】
本発明のインジェクタの取付構造によれば、第１のクッション材が、インジェクタのコネクタ部に係止するインジェクタ係止部と、第１の保持部材に係止する保持部材係止部と、を有するので、この第１のクッション材によってインジェクタを第１の保持部材に対して回動不能に取り付けることができる。したがって、インジェクタのコスト上昇を招くことなく、かつ、その汎用性を損なうことなく、その位置決めを容易にすることができる。
【図面の簡単な説明】
【００１３】
【図１】本発明のインジェクタの取付構造の一実施形態の概略構成を示す、一部を断面視した側面図である。
【図２】インジェクタとこれに係止する第１のクッション材の斜視図である。
【図３】第１のクッション材の斜視図である。
【図４】（ａ）〜（ｃ）は第１の保持部材の要部平面図である。
【発明を実施するための形態】
【００１４】
以下、図面を参照して本発明に係るインジェクタの取付構造を詳しく説明する。なお、以下の図面においては、各部材を認識可能な大きさとするため、各部材の縮尺を適宜変更している。
【００１５】
図１は、本発明のインジェクタの取付構造の一実施形態の概略構成を示す、一部を断面視した側面図であり、図１において符号１はインジェクタの取付構造である。このインジェクタの取付構造１は、インジェクタ２が、第１の保持部材３と第２の保持部材４との間に取り付けられてなる構造である。
【００１６】
インジェクタ２は、従来公知の燃料噴射弁であり、インジェクタ本体５と、このインジェクタ本体５の後端側に一体に設けられたコネクタ部６と、を備えて構成されている。インジェクタ本体５は、先端側にノズル部材２１を有し、このノズル部材２１の先端にジョイント管２２を連結している。ノズル部材２１には、その内部に噴射孔（図示せず）が形成されており、ジョイント管２２は前記噴射孔に連通して設けられている。また、ノズル部材２１より後端側には、円筒状の第１ハウジング２３、第２ハウジング２４、第３ハウジング２５がこの順に配設されている。第１ハウジング２３は、その外径がノズル部材２１より大径に形成されており、第２ハウジング２４は、その外径が第１ハウジング２３より大径に形成されている。
【００１７】
第２ハウジング２４には、その後端部上に、前記コネクタ部６を一体に形成した略円筒状の樹脂モールド部２６が被着している。樹脂モールド部２６は、円筒部２７とコネクタ部６とからなり、コネクタ部６は、円筒部２７に一体に接続する付け根部２８とコネクタ本体２９とからなっている。
【００１８】
コネクタ本体２９は、インジェクタ２と後述する第１のクッション材の概略構成を示す図２に示すように、その内部に通電用端子（図示せず）を有した雄型のコネクタである。付け根部２８は、平板状に形成されたもので、一端側が円筒部２７に接続し、他端側がコネクタ本体２９に一体に接続することでコネクタ本体２９を支持している。
【００１９】
インジェクタ２は、図１に示すようにその先端部、本実施形態ではノズル部材２１において、第１の保持部材３に取り付けられ、その後端部、本実施形態では第３ハウジング２５において、第２の保持部材４に取り付けられている。その際、インジェクタ２の先端部と第１の保持部材３との間には、弾性材からなる第１のクッション材７が介装されている。また、インジェクタ２の後端部と第２の保持部材４との間には、弾性材からなる第２のクッション材８が介装されている。
【００２０】
このような構成のもとに、インジェクタ２はその先端部が第１のクッション材７を介して第１の保持部材３に支持され、後端部が第２のクッション材８を介して第２の保持部材４に支持されている。すなわち、インジェクタ２は第１のクッション材７、第２のクッション材８を介して第１の保持部材３、第２の保持部材４に取り付けられている。
【００２１】
第１の保持部材３は、本実施形態ではインテークマニホルド（図示せず）にマウントされた板状のステーとなっている。このステー（第１の保持部材３）は、開口形状が円形の挿通孔３ａを有し、この挿通孔３ａ内にインジェクタ２のジョイント管２２およびノズル部材２１を挿通している。本実施形態では、ジョイント管２２から導管３０を介して、インテークマニホルド内に挿通されている。
【００２２】
第１のクッション材７は、耐油性に優れたニトリル系のゴム、例えば水素化ニトリルゴム（ＨＮＢＲ）などによって形成されたもので、その斜視図である図３に示すように、円環状の台座部７１と、台座部７１の外側面に一体に設けられた板状の係止部７２とからなっている。台座部７１は、図１に示すようにその貫通孔７１ａに、インジェクタ２の第１ハウジング２３を嵌合した状態に挿通し、これによって該第１ハウジング２３を保持している。このような構成により、第１のクッション材７は第１の保持部材３と第２ハウジング２４との間に挟着された状態で、これらの間に介装されている。
【００２３】
また、第１のクッション材７の係止部７２は、インジェクタ２の軸方向に延在して形成されており、インジェクタ２の後端側に延びて形成されたインジェクタ係止部７３と、インジェクタ２の先端側に延びて形成された保持部材係止部７４と、を有している。インジェクタ係止部７３は、図３に示すようにその先端に一対の挟持片７３ａ、７３ａを有し、これら挟持片７３ａ、７３ａ間に平坦部７３ｂを有しており、図１、図２に示すように挟持片７３ａ、７３ａがコネクタ部６の付け根部２８を挟持することで、該コネクタ部６に係止している。
【００２４】
また、保持部材係止部７４は、台座部７１より僅かに突出して形成された凸部、すなわちインジェクタ本体５の軸線方向に突出した凸部からなるもので、図１に示すように第１の保持部材３（ステー）に形成された凹部３ｂに嵌合して、該第１の保持部材３に回動不能に保持されている。
【００２５】
図４（ａ）は、第１の保持部材３の要部平面図である。この図に示すように、第１の保持部材３の上面（第１のクッション材７側の面）には、挿通孔３ａの周囲に複数の凹部３ｂが形成されている。これら凹部３ｂは、いずれも保持部材係止部７４と嵌合可能に形成されている。これら凹部３ｂは、その数が前記保持部材係止部７４を構成する凸部の数より多い数、形成されている。本実施形態では、保持部材係止部７４を構成する凸部の数は１つであるのに対し、凹部３ｂは８つ形成されている。このように保持部材係止部７４の凸部より凹部３ｂの数を多く形成しておくことにより、第１の保持部材３に対する第１のクッション材７の向き、すなわち該第１のクッション材７に係止されるインジェクタ２の向きを、単に嵌合・係止させる凹部３ｂを変えるだけで容易に変更することができる。したがって、インジェクタ２の向きの変更といった設計変形に容易に対応可能となる。
【００２６】
第２の保持部材４は、本実施形態ではフューエルレールである。このフューエルレール（第２の保持部材４）は円管状のもので、その孔内にインジェクタ２の後端部、すなわち第３ハウジング２５等が挿通されている。
第２のクッション材８は、耐油性に優れたニトリル系のゴム、例えば水素化ニトリルゴム（ＨＮＢＲ）などによって形成されたもので、円環状に形成されている。すなわち、インジェクタ２の樹脂モールド部２６と第３ハウジング２５との間に外挿されて、樹脂モールド部２６と第２の保持部材４との間に挟着され、介装されている。
【００２７】
このような構成のインジェクタ２の取付構造を作製するには、まず、インジェクタ２に対して第１のクッション材７を係止させる。すなわち、第１のクッション材７の貫通孔７１ａにインジェクタ２の先端側（ジョイント管２２側）を挿通する。また、このように先端側を挿通するのと同時に、インジェクタ係止部７３をコネクタ部６の付け根部２８に位置合わせし、その状態でインジェクタ２の挿通を進めることにより、インジェクタ係止部７３の挟持片７３ａ、７３ａによって付け根部２８を挟持させる。さらに挿通を進めることにより、第２ハウジング２４の先端側の端面を第１のクッション材７の台座部７１に当接させるとともに、インジェクタ係止部７３の挟持片７３ａ、７３ａ間の平坦部７３ｂをコネクタ部６の付け根２８の端面に当接させる。これにより、図２に示したように第１のクッション材７に対してインジェクタ２を係止させることができる。
【００２８】
次に、第１の保持部材３に対してインジェクタ２を取り付けるべく、図２に示した形態のインジェクタ２の先端側、すなわちジョイント管２２側を第１の保持部材３の挿通孔３ａに挿通する。また、このように先端側を挿通するのと同時に、第１のクッション材７の保持材係止部７４を予め設定された凹部３ａに位置合わせする。そして、さらに挿通を進めることにより、保持材係止部７４を凹部３ｂに嵌合・係止させるとともに、第１のクッション材７の台座部７１を第１の保持部材３に当接させる。これにより、第１の保持部材３に対し第１のクッション材７を介装してインジェクタ２を位置決めし、固定することができる。
【００２９】
その後、インジェクタ２の後端側に第２のクッション材８を外挿し、その状態で第２の保持部材４を取り付ける。なお、第１の保持部材３については、インテークマニホルドにマウントした後、図４（ａ）に示す固定部材９を用いてこれに固定する。
これにより、インジェクタ２の先端部と第１の保持部材３との間に第１のクッション材７を介装するとともに、インジェクタ２の後端部と第２の保持部材４との間に第２のクッション材８を介装してなる、本実施形態のインジェクタの取付構造１が得られる。
【００３０】
このようなインジェクタの取付構造１にあっては、第１のクッション材７が、インジェクタ２のコネクタ部６に係止するインジェクタ係止部７３と、第１の保持部材３に係止する保持部材係止部７４と、を有するので、この第１のクッション材７によってインジェクタ２を第１の保持部材３に対して回動不能に取り付けることができる。したがって、特にインジェクタ２に位置決め用の凹凸部などを新たに形成する必要がないため、インジェクタ２コスト上昇を抑え、その汎用性を維持することができる。
【００３１】
また、第１のクッション材７を用いることで第１の保持部材３に対するインジェクタ２の位置決めを容易に行うことができ、したがって組立工程を簡略化してコストの低減化を図ることができる。さらに、第１のクッション材７によってインジェクタ２の位置決めを容易にすることができるため、インジェクタ２の汎用性を高めることができる。
また、弾性材からなる第１のクッション材７、第２のクッション材８を介装しているので、インジェクタ２と第１の保持部材３や第２の保持部材４が直接接触することに起因する異音の発生を防止することができる。
【００３２】
また、インジェクタ係止部７３を、コネクタ部６の付け根部２８を挟持することでコネクタ部６に係止するように構成しているので、コネクタ本体２９に挿入される雌型のコネクタの装着に干渉することなく、インジェクタ２を第１の保持部材３に対して回動不能に固定することができる。
【００３３】
また、保持部材係止部７４を、インジェクタ２の軸線方向に突出する凸部によって形成しているので、保持部材係止部７４をインジェクタ２の外側に大きく外れることなく、インジェクタ２の近傍に形成配置することができ、したがって、例えばインジェクタ２が複数あり、これらを同じ第１の保持部材３に対して取り付ける場合に、隣り合うインジェクタ２、２間の間隔を狭くすることができる。よって、第１の保持部材３の小型化を可能にすることができる。
【００３４】
また、保持部材係止部７４と嵌合可能な凹部３ｂを、保持部材係止部７４の数より多い数、第１の保持部材３に形成しているので、前述したようにインジェクタ２の向きの変更といった設計変形に容易に対応することができる。
【００３５】
なお、本発明は前記実施形態に限定されることなく、本発明の主旨を逸脱しない範囲で種々の変更が可能である。
例えば、前記実施形態では、保持部材係止部７４を第１のクッション材７の係止部７２の一端側（インジェクタ係止部７３と反対の側）に設けたが、台座部７１に直接形成することもできる。その場合には、第一の保持部材３に形成する凹部３ｂも、挿通孔３ａに近づけて形成・配置することができる。または、図４（ｂ）に示すように挿通孔３ａの内壁面に、溝状の凹部３ｂを形成することもできる。
【００３６】
また、台座部７１の外径を大きくした場合などでは、第１のクッション材７の係止部７２の一端側に形成した保持部材係止部７４を、図４（ｃ）に示すように第１の保持部材３の測縁に係止させることで、第１の保持部材３に対するインジェクタ２の位置決めを行うようにしてもよい。その場合には、第１の保持部材３に対して位置決めのための凹部３ｂ等の構造を新たに設ける必要がなく、したがって第１の保持部材３のコスト上昇や汎用性の低下を抑えることができる。
【００３７】
また、前記実施形態では、本発明のインジェクタの取付構造１を、インテークマニホルドにマウントしたステー（第１の保持部材３）とフューエルレール（第２の保持部材４）との間に取り付ける構造に適用したが、本発明はこれに限定されることなく、他に例えば、インテークマニホルド（第１の保持部材３）とデリバリパイプ（第２の保持部材４）との間に取り付ける構造にも適用することができる。
【符号の説明】
【００３８】
１…インジェクタの取付構造、２…インジェクタ、３…第１の保持部材、４…第２の保持部材、５…インジェクタ本体、６…コネクタ部、７…第１のクッション材、８…第２のクッション材、２８…付け根部、２９…コネクタ本体、７１…台座部、７２…係止部、７３…インジェクタ係止部、７４…保持部材係止部
【図１】
2015117675.tif 000003
【図２】
2015117675.tif 000004
【図３】
2015117675.tif 000005
【図４】
2015117675.tif 000006